【手続補正書】
【提出日】平成18年8月2日(2006.8.2)
【手続補正１】
【補正対象書類名】明細書
【補正対象項目名】特許請求の範囲
【補正方法】変更
【補正の内容】
【特許請求の範囲】
【請求項１】
軟磁性裏打ち層を有する垂直磁気記録二層膜媒体と、シールド膜を有する磁気抵抗効果型ヘッドを再生ヘッドに用いた垂直磁気記録再生装置であって、該再生ヘッドから出力される再生信号は、直流成分を含む低周波信号成分を通過かつ抑制する周波数特性を有するパーシャルレスポンス波形等化回路を介して処理され、最尤復号器に入力されてデータ再生されることを特徴とする垂直磁気記録再生装置。
【請求項２】
請求項１に記載の垂直磁気記録再生装置において、該記録媒体上、最短ビット長間隔で記録される２つの隣接記録磁化反転の対に対する再生信号波形は、該パーシャルレスポンス波形等化回路を介して、（a1, a2, a3,…,aｋ,…, an）（ｋは、ビット時刻を示す整数、a1, anは、異符号の非ゼロ実数：a1＋a2＋a3…＋aｋ＋…＋an≠0,n≧2）なる振幅比の波形干渉を各ビット時刻において有する信号波形として出力されること、あるいは、奇対称な逆極性振幅をもつダイパルス信号波形として出力されること、かつ、この出力された信号は、該最尤復号器に入力されてデータ再生されることを特徴とする垂直磁気記録再生装置。
【請求項３】
請求項２に記載の垂直磁気記録再生装置において、該記録媒体上、最短ビット長間隔で記録される２つの隣接記録磁化反転の対に対する再生信号波形は、該パーシャルレスポンス波形等化回路を介して、（p1, p2−αp1,…,pk-αpｋ-1,…,pn-αpn-1,-αpn）（αは0<α<1なる実数値、ｋはビット時刻を示す整数、p1,p2,…,pk…,pnは同符号実数、p1, pnは非ゼロ実数：n≧2）なる振幅比の波形干渉を各ビット時刻において有する信号波形として出力され、該最尤復号器に入力されてデータ再生されることを特徴とする垂直磁気記録再生装置。
【請求項４】
請求項３に記載の垂直磁気記録再生装置において、該パーシャルレスポンス波形等化回路は、入力された各信号値から、これを所定ビット時刻遅延しα倍した信号値を減算する演算回路と所定の波形処理回路により構成されることを特徴とする垂直磁気記録再生装置。
【請求項５】
請求項３または４に記載の垂直磁気記録再生装置において、α≧0.1なるパラメータを用いることを特徴とする垂直磁気記録再生装置。
【請求項６】
請求項１から５のいずれか１項に記載の垂直磁気記録再生装置を含み、異なる直流周波数成分通過特性を有する複数のパーシャルレスポンス波形等化回路、あるいは、異なるパラメータαにより規定される複数のパーシャルレスポンス波形等化回路を有して、同一の該再生ヘッドからの再生信号をこれらに入力し波形等化処理することを特徴とする垂直磁気記録再生装置。
【請求項７】
請求項１から５のいずれか１項に記載の垂直磁気記録再生装置を含み、該パーシャルレスポンス波形等化回路に対して、異なる直流周波数成分通過特性、あるいは、複数の異なるパラメータαから一つを選択して設定し、該再生ヘッドからの再生信号をこれに入力し波形等化処理することを特徴とする垂直磁気記録再生装置。
【請求項８】
請求項６または７に記載の垂直磁気記録再生装置において、異なる直流周波数成分通過特性のうち少なくとも一つは直流周波数成分を遮断するものであること、あるいは、異なるパラメータαのうち少なくとも一つは、α=1なる条件を有するものであることを特徴とする垂直磁気記録再生装置。
【請求項９】
請求項８に記載の垂直磁気記録再生装置において、該パーシャルレスポンス波形等化回路に前置される回路を調整・制御するための信号は、直流周波数成分を遮断する特性を有する該パーシャルレスポンス波形等化回路、あるいは、α=1なるパラメータを有する該パーシャルレスポンス波形等化回路の後段から参照されることを特徴とする垂直磁気記録再生装置。
【請求項１０】
請求項１から９のいずれか１項に記載の垂直磁気記録再生装置において、記録される情報データ符号系列は、媒体上に最短ビット長間隔で記録される記録磁化反転の最大連続数ｍが有限個の値に制限されるように符号変換処理された後に、該記録媒体に記録されることを特徴とする垂直磁気記録再生装置。
【請求項１１】
請求項１０に記載の垂直磁気記録再生装置において、記録磁化反転の最大連続数ｍは、４以下に制限されることを特徴とする垂直磁気記録再生装置。
【請求項１２】
垂直記録磁性層を有する垂直磁気記録媒体と、
前記垂直磁気記録媒体に磁化情報を記録する垂直磁気記録ヘッドと、
前記垂直磁気記録媒体に記録された磁化情報を再生する再生ヘッドと、
前記再生ヘッドから出力される再生信号に対し、直流成分を含む低周波信号成分を抑制する処理をする波形等化器と、
前記波形等化器から出力される出力信号を復号する復号器とを備えることを特徴とする垂直磁気記録再生装置。
【請求項１３】
垂直記録磁性層を有する垂直磁気記録媒体と、
前記垂直磁気記録媒体に磁化情報を記録する垂直磁気記録ヘッドと、
前記垂直磁気記録媒体に記録された磁化情報を再生する再生ヘッドと、
前記再生ヘッドから出力される再生信号に対し、直流成分を含む低周波信号成分を抑制する処理をする波形等化器と、
前記波形等化器から出力される出力信号を復号する復号器とを備え、
前記垂直磁気記録媒体上、最短ビット長間隔で記録される２つの隣接記録磁化反転の対に対する再生信号波形は、前記波形等化器を介して、（p1, p2-αp1,…,pk-αpｋ-1,…,pn-αpn-1,-αpn）（αは0<α<1なる実数値、ｋはビット時刻を示す整数、p1,p2,…,pk…,pnは同符号実数、p1, pnは非ゼロ実数：n≧2）なる振幅比の波形干渉を各ビット時刻において有する信号波形として出力され、前記復号器に入力されてデータ再生されることを特徴とする垂直磁気記録再生装置。
【請求項１４】
前記αは、0.1以上であることを特徴とする請求項１３記載の垂直磁気記録再生装置。
【請求項１５】
異なる直流周波数成分通過特性を有する複数の波形等化回路、あるいは、異なるパラメータαにより規定される複数の波形等化回路を有して、同一の前記再生ヘッドからの再生信号をこれらに入力し波形等化処理することを特徴とする請求項１２又は１３に記載の垂直磁気記録再生装置。
【請求項１６】
前記波形等化回路に対して、異なる直流周波数成分通過特性、あるいは、複数の異なるパラメータαから一つを選択して設定し、前記再生ヘッドからの再生信号をこれに入力し波形等化処理することを特徴とする請求項１２又は１３に記載の垂直磁気記録再生装置。
【請求項１７】
異なる直流周波数成分通過特性のうち少なくとも一つは直流周波数成分を遮断するものであること、あるいは、異なるパラメータαのうち少なくとも一つは、α=1なる条件を有するものであることを特徴とする請求項１５に記載の垂直磁気記録再生装置。
【請求項１８】
前記波形等化回路に前置される回路を調整・制御するための信号は、直流周波数成分を遮断する特性を有する前記波形等化回路、あるいは、α=1なるパラメータを有する該パーシャルレスポンス波形等化回路の後段から参照されることを特徴とする請求項１７に記載の垂直磁気記録再生装置。
【請求項１９】
異なる直流周波数成分通過特性のうち少なくとも一つは直流周波数成分を遮断するものであること、あるいは、異なるパラメータαのうち少なくとも一つは、α=1なる条件を有するものであることを特徴とする請求項１６に記載の垂直磁気記録再生装置。
【請求項２０】
前記波形等化回路に前置される回路を調整・制御するための信号は、直流周波数成分を遮断する特性を有する前記波形等化回路、あるいは、α=1なるパラメータを有する前記波形等化回路の後段から参照されることを特徴とする請求項１９に記載の垂直磁気記録再生装置。
【手続補正２】
【補正対象書類名】明細書
【補正対象項目名】発明の名称
【補正方法】変更
【補正の内容】
【発明の名称】垂直磁気記録再生装置
【手続補正３】
【補正対象書類名】明細書
【補正対象項目名】００４７
【補正方法】変更
【補正の内容】
【００４７】
また、図８は、パラメータＫが１．５である再生信号に対して、選択された低域抑圧パラメータαとデータビットの誤り率（データ復調の信頼度）との関係を示すものである。この図に示されるように、αは０．１≦α≦１の範囲で、α＝０つまり、直流成分遮断をしない方式の波形等化方式に比べてデータビット誤り率の低い等化方式を実現できることが分かる。実際の垂直磁気記録再生系の再生信号に対しては、再生信号の特性や媒体雑音によって最適αの値が設定される。